(57)【要約】【課題】カートリッジ本体の接合部から進入して感光性記録媒体に照射される光量を大幅に低減させて、感光性記録媒体の感光を阻止し、これにより感光性記録媒体の劣化を防止することができる感光性記録媒体用カートリッジを提供する。【解決手段】感光性を有する記録ディスク４を収容するカートリッジ本体１１は、端縁全周に突条３２，３６が設けられた略板状の第１シェル２５と第２シェル２６とが重ね合わされて形成され、突条３２，３６の接合部から入射する光Ｌが少なくとも２回以上反射し、反射光の光量が１ｍＷ／ｃｍ２以下となる構成である。【選択図】図４
2007073119.tif 000002
【特許請求の範囲】
【請求項１】
ディスク状の感光性記録媒体と、
前記感光性記録媒体を回転自在に収容するディスク収容部および前記感光性記録媒体の中心と記録面とを外部に露呈させる開口を有するカートリッジ本体と、
前記カートリッジ本体の外側に取り付けられて前記開口を閉じる閉じ位置と前記開口を開放する開き位置との間で移動自在に配設されたシャッタと、を具備する感光性記録媒体用カートリッジであって、
前記感光性記録媒体用カートリッジに蛍光灯から照度５００ルックスの光が照射されたとき、前記ディスク収容部における光量が、１ｍＷ／ｃｍ２以下であることを特徴とする感光性記録媒体用カートリッジ。
【請求項２】
前記カートリッジ本体は、端縁全周に突条が設けられた略板状の第１シェルと第２シェルとが重ね合わされて形成され、
前記突条の接合部から入射する光は、少なくとも２回以上反射した反射光のみが前記感光性記録媒体に到達可能であることを特徴とする請求項１に記載の感光性記録媒体用カートリッジ。
【請求項３】
前記カートリッジ本体は、周縁に形成された側壁により画成された開口穴と、前記開口穴と前記感光性記録媒体とを結ぶ直線上のいずれかの位置に配置された遮光部材と、を備え、
前記開口穴から入射する光は、少なくとも２回以上反射した反射光のみが前記感光性記録媒体に到達可能であることを特徴とする請求項１又は２に記載の感光性記録媒体用カートリッジ。
【請求項４】
前記遮光部材は、前記開口穴と前記感光性記録媒体とを結ぶ直線上に、前記直線と交差する方向に配置されたリブ状部材であることを特徴とする請求項３に記載の感光性記録媒体用カートリッジ。
【請求項５】
前記開口穴は、位置決め穴、ロック解除穴、ビス穴、ライトプロテクトノッチ用穴のうちいずれか１つであることを特徴とする請求項３又は４に記載の感光性記録媒体用カートリッジ。
【請求項６】
前記感光性記録媒体は、ホログラム記録媒体であることを特徴とする請求項１から５のいずれかに１つに記載の感光性記録媒体用カートリッジ。
【発明の詳細な説明】
【技術分野】
【０００１】
本発明は、感光性録媒体用カートリッジに関し、特に、感光性録媒体が収容されるディスク収容部を確実に遮光して感光性録媒体の劣化を防止するようにした感光性記録媒体用カートリッジに関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
また、ディスク状記録媒体を収容するカートリッジとしては、ディスク状記録媒体を外部に露出させる開口が形成されたカートリッジ本体、および該開口を開閉するシャッタ、およびシャッタの外側に配設されたシャッタカバーを備えたカートリッジが知られている（例えば、特許文献３参照）。
【０００４】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２または特許文献３に記載されているカートリッジと同様の構成を有しているものと考えられる。
【０００５】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００６】
特許文献３に記載の発明は、開口部を有するカートリッジ本体の外方に、その開口部を開閉可能にシャッタ部材が設けられ、更に、シャッタ部材の移動領域を覆うようにカートリッジカバーが備えられたカートリッジが記載されている。
【０００７】
【特許文献１】特開２００４―０２９４７６号公報
【特許文献２】特開２００３―３１７４２２号公報
【特許文献３】特開２００１―２１６７５４号公報
【発明の開示】
【発明が解決しようとする課題】
【０００８】
ホログラム記録媒体を収容するカートリッジは、カートリッジ本体自身やカートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、遮光構造および防塵構造に関する記載がない。
【０００９】
また、特許文献２に記載のカートリッジは、上半体と下半体とからなるカートリッジ本体とシャッタとの間をスポンジ状の遮光材で遮光している。また、上半体と下半体とからなるカートリッジ本体に、シャッタ機構を具備したものが記載されている。しかし、いずれのカートリッジも、上半体と下半体の接合部の遮光構造や、位置決め穴などの開口部の遮光構造については、記載されていない。従って、上半体と下半体、および開口部の接合部からの入射光により感光性記録媒体が感光する虞があった。
【００１０】
特許文献３に記載のカートリッジは、略板状の上シェルと下シェルを突き合わせ、締結ネジで結合して形成されたカートリッジ本体に、シャッタおよびシャッタカバーが組み付けられている。しかし、特許文献３に記載のカートリッジは、感光性を有しない記録媒体を対象としたものであり、防塵構造については記載されているものの遮光構造についてはなんら記載されていない。特に、上シェルと下シェルとの接合部および位置決め穴などの開口部の遮光については考慮されていない。従って、外部の光が、上シェルと下シェル、および開口部の接合部から入射して感光性記録媒体を露光させる可能性があり、感光性記録媒体用カートリッジとしては、必ずしも十分な性能を有しない。
【００１１】
本発明は、上記事情に鑑みてなされたもので、その目的は、カートリッジ本体の接合部から進入して感光性記録媒体に照射される光量を大幅に低減させて、感光性記録媒体の感光を阻止し、これにより感光性記録媒体の劣化を防止することができる感光性記録媒体用カートリッジを提供することにある。
【課題を解決するための手段】
【００１２】
本発明の上記目的は、下記感光性記録媒体用カートリッジによって達成される。
（１）  ディスク状の感光性記録媒体と、前記感光性記録媒体を回転自在に収容するディスク収容部および前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、を具備する感光性記録媒体用カートリッジであって、前記感光性記録媒体用カートリッジに蛍光灯から照度５００ルックスの光が照射されたとき、前記ディスク収容部における光量が、１ｍＷ／ｃｍ２以下であることを特徴とする感光性記録媒体用カートリッジ。
【００１３】
上記構成の感光性記録媒体用カートリッジによれば、蛍光灯から照度５００ルックス（ｌｘ）の光が照射されたとき、ディスク収容部における光量が、１ｍＷ／ｃｍ２以下となるように遮光されているので、収容している感光性記録媒体の感光が阻止されて劣化を防止することができる。
【００１４】
（２）  前記カートリッジ本体は、端縁全周に突条が設けられた略板状の第１シェルと第２シェルとが重ね合わされて形成され、前記突条の接合部から入射する光は、少なくとも２回以上反射した反射光のみが前記感光性記録媒体に到達可能であることを特徴とする上記（１）記載の感光性記録媒体用カートリッジ。
【００１５】
上記構成の感光性記録媒体用カートリッジによれば、端縁全周に形成された突条の接合部から入射する光がある場合、２回以上反射した反射光でなければ、感光性記録媒体に到達できないようにしたので、光が大幅に弱められた反射光のみが感光性記録媒体に到達する。従って、感光性記録媒体の感光が阻止されて、劣化が防止される。
【００１６】
（３）  前記カートリッジ本体は、周縁に形成された側壁により画成された開口穴と、前記開口穴と前記感光性記録媒体とを結ぶ直線上のいずれかの位置に配置された遮光部材と、を備え、前記開口穴から入射する光は、少なくとも２回以上反射した反射光のみが前記感光性記録媒体に到達可能であることを特徴とする上記（１）又は（２）に記載の感光性記録媒体用カートリッジ。
【００１７】
上記構成の感光性記録媒体用カートリッジによれば、開口穴と感光性記録媒体とを結ぶ直線上のいずれかの位置に遮光部材が配置されるので、開口穴から光が入射することがあっても遮光部材により遮られ、２回以上反射して光量が弱められた光だけが感光性記録媒体に到達する。従って、感光性記録媒体の感光を防止することができる。
【００１８】
（４）  前記遮光部材は、前記開口穴と前記感光性記録媒体とを結ぶ直線上に、前記直線と交差する方向に配置されたリブ状部材であることを特徴とする上記（３）に記載の感光性記録媒体用カートリッジ。
【００１９】
上記構成の感光性記録媒体用カートリッジによれば、開口穴と感光性記録媒体とを結ぶ直線上にリブ状部材を配置して遮光するようにしたので、簡単な機構で確実に遮光することができる。また、これによって、感光性記録媒体の劣化を防止することができる。
【００２０】
（５）  前記開口穴は、位置決め穴、ロック解除穴、ビス穴、ライトプロテクトノッチ用穴のうちいずれか１つであることを特徴とする上記（３）又は（４）に記載の感光性記録媒体用カートリッジ。
【００２１】
上記構成の感光性記録媒体用カートリッジによれば、位置決め穴、ロック解除穴、ビス穴、ライトプロテクトノッチ用穴と感光性記録媒体とを結ぶ直線上に遮光部材を配置したので、これらの開口穴からの光を確実に遮光することができる。
【００２２】
（６）  前記感光性記録媒体は、ホログラム記録媒体であることを特徴とする上記（１）から（５）のいずれか１つに記載の感光性記録媒体用カートリッジ。
【００２３】
上記構成の感光性記録媒体用カートリッジによれば、簡単な機構でホログラム記録媒体の劣化を確実に防止して保管することができる。
【発明の効果】
【００２４】
本発明の感光性記録媒体用カートリッジによれば、カートリッジ本体の接合部から進入して感光性記録媒体に照射される光量を大幅に低減させて、感光性記録媒体の感光を阻止し、これにより感光性記録媒体の劣化を防止することができる感光性記録媒体用カートリッジを提供することができる。
【発明を実施するための最良の形態】
【００２５】
以下、本発明の実施形態を図面に基づいて詳しく説明する。
図１は本発明の実施形態であるホログラム記録媒体用カートリッジ（以下、カートリッジと省略する）の斜視図、図２はカートリッジの構成を示す分解斜視図、図３は図１におけるＩＩＩ−ＩＩＩ矢視断面図、図４は図３における円ＩＶで囲まれた部分の拡大断面図、図５は図１におけるＶ−Ｖ矢視断面図である。
【００２６】
図１に示すように、カートリッジ２は、このカートリッジを取り扱うホログラム記録装置等に対し、矢印Ｃ方向から装填される。カートリッジ２のディスク収容部３内に回転自在に収容される記録ディスク４は、中心部に穴をあけてディスク状にしたホログラム記録ディスクであり、両面にホログラム記録層が設けられている。
【００２７】
このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００２８】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００２９】
シャッタ１３が矢印Ｄ方向の開き位置に向けて移動すると、外部開口１４,１５とともに、外部開口１４,１５に対面するようにカートリッジ本体１１に設けられている同形状の開口１８,１９が開放される。これにより、ディスク収容部３内に収容されている記録ディスク４の中心部４ａと、記録面４ｂとが外部に露呈される。シャッタ１３は、内蔵するシャッタバネによって閉じ位置に付勢されている。
【００３０】
図２に示すように、カートリッジ本体１１は、略板状の第１シェル２５と、この第１シェル２５に接合される第２シェル２６とから構成されている。第１シェル２５と第２シェル２６は、例えば、遮光性物質と滑剤とが添加された同一または類似の熱可塑性プラスチックを用いて、射出成形により形成されている。
【００３１】
図２から図４に示すように、第１シェル２５の端縁全周には、第１突条３２が設けられている。第１突条３２の端縁外周には、断面略逆Ｌ字形の段部３２ａが形成されている。第２シェル２６の端縁内全周には第２突条３６が設けられ、該第２突条３６の端縁内周には、段部３２ａに対応して断面略Ｌ字形の段部３６ａが形成されている。
【００３２】
第２シェル２６の内側に記録ディスク４を乗せ、第１シェル２５を第２シェル２６の上面に重ね合わせると、第１突条３２の段部３２ａと第２突条３６の段部３６ａとが嵌合して接合し、第１突条３２および第２突条３６により形成された側壁と、第１シェル２５の内面と、第２シェル２６の内面と、によって画成されてディスク収容部３が形成される。
【００３３】
また、図２および図５に示すように、第１シェル２５および第２シェル２６には、互いに対応する位置に位置決め穴６３、６４が形成されている。位置決め穴６３、６４の周縁には、第１突条３２および第２突条３６と同様に断面略逆Ｌ字形およびＬ字形の段部が形成された側壁６０、６１が、内側に向けて立設されている。側壁６０、６１は、第１シェル２５と第２シェル２６とが重ね合わされたとき、段部が嵌合して接合する。尚、位置決め穴６３、６４は、カートリッジ２を記録再生装置(図示せず)などに装填したときカートリッジ２の位置決めを行うためのものである。
【００３４】
第１シェル２５の内側には、位置決め穴６３とディスク収容部３とを結ぶ直線上に、該直線と交差する方向に延設された遮光部材であるリブ２５ｅが形成されている。リブ２５ｅは、第１シェル２５と第２シェル２６とが重ね合わされたとき、その先端が第２シェル２６の内面に当接する。
【００３５】
位置決め穴６３以外の穴、例えば、ロック解除穴、ビス穴、ライトプロテクトノッチ用穴（いずれも図示せず）などのいずれか１つの穴が設けられている場合、上記した位置決め穴６３と同様に、段部を有する側壁と、各穴とディスク収容部３とを結ぶ直線上に配置されたリブとが設けられる。
【００３６】
尚、第１突条３２の段部３２ａと第２突条３６の段部３６ａとは、嵌合させて超音波溶着によって固着するようにしてもよい。これにより、第１シェル２５と第２シェル２６とが強固に接合されるため、両者の合せ目に隙間が開くようなことはない。
【００３７】
図１から図３に示すように、第１シェル２５及び第２シェル２６の外面には、遮光板１２の形状より僅かに大きく、且つ遮光板１２の厚み以上の深さで内側にオフセットされた遮光板取付面２５ａ,２６ａが形成されている。また、遮光板取付面２５ａ,２６ａの内側に、シャッタ部材５５の厚み以上の深さで内側にオフセットさせたシャッタ摺動面２５ｂ,２６ｂが形成されている。
【００３８】
遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００３９】
遮光板１２は、第１の板部１２ａ及び第２の板部１２ｂでカートリッジ本体１１のＢ面２ｂ及びＡ面２ａを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００４０】
図２に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００４１】
遮光板１２がカートリッジ本体１１の外側（遮光板取付面２５ａ,２６ａ）に取り付けられると、第１シェル２５及び第２シェル２６のピン５０が穴４９に挿入され、遮光板１２の表面から突出される。遮光板１２は、各ピン５０の先端が熱で潰されることによりカートリッジ本体１１に固着される。
【００４２】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００４３】
図２に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４４】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００４５】
シャッタ部材５５は、第１シャッタ５５ａおよび第２シャッタ５５ｂでカートリッジ本体１１のＢ面２ｂ及びＡ面２ａを挟み込み、かつ連設部５５ｃでカートリッジ本体１１の装填方向Ｃの先端を覆うようにして、カートリッジ本体１１のシャッタ摺動面２５ｂ,２６ｂに取り付けられる。
【００４６】
第１シェル２５と第２シェル２６の外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００４７】
図２に示すように、スライド部材５６は、カートリッジ２の装填方向の前面５６ｇがカートリッジ本体１１の装填方向先端面から露出されるように、第１シェル２５と第２シェル２６との間にスライド自在に組み込まれる。スライド部材５６の前面５６ｇの端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００４８】
スライド部材５６の前面５６ｇのシャッタ閉じ方向の端部には、シャッタ１３を開く際に操作される係止部５６ｄが突出して形成されている。この係止部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、係止部５６ｄとの干渉を避けるために設けられたものであり（図１参照）、シャッタ１３の移動距離が不足して開口１８,１９を開放できない場合に形成することにより移動距離の拡大が図られる。
【００４９】
シャッタ１３は、その両端がスライド部材５６と第１シェル２５の内面とに係止されている捩じりコイルバネなどのシャッタバネ５９により開口１８，１９を閉じる方向に付勢されている。
【００５０】
図４に示すように、このようなカートリッジ２に、蛍光灯７０から光Ｌが照射されると、第１突条３２と第２突条３６との接合部の隙間から光Ｌが内部に進入しようとするが、段部３２ａ、３６ａに遮断されて直線的に進入することができない。即ち、光Ｌは、段部３６ａで反射した後、更に段部３２ａで反射した光Ｌだけがディスク収容部３内に進入する。このように、ディスク収容部３に到達する光Ｌは少なくとも２回反射しているので、カートリッジ２が照度５００ルックスで照射されたとき、ディスク収容部３に到達する反射光の光量は１ｍＷ／ｃｍ２以下となっている。従って、記録ディスク４を感光させることはない。
【００５１】
図５に示すように、位置決め穴６３，６４に照射された光Ｌも上記と同様に、互いに嵌合する側壁６０、６１の段部で反射するときに弱められ、更にリブ２５ｅにより遮光されて少なくとも２回反射した後、ディスク収容部３に到達する。従って、カートリッジ２が照度５００ルックスで照射されたときの反射光の光量は１ｍＷ／ｃｍ２以下となっているので、記録ディスク４の感光が防止される。
【００５２】
尚、接合部から進入して記録ディスク４に照射される光量の上限値は、１ｍＷ／ｃｍ２であるが、好ましくは１０μＷ／ｃｍ２、更に好ましくは１００ｎＷ／ｃｍ２、更にまた好ましくは１ｎＷ／ｃｍ２である。
【００５３】
次に、第１シェル２５の第１突条３２、および第２シェル２６の第２突条３６の第１変形例を図６に従って説明する。図６は第１変形例の第１シェルおよび第２シェルの要部拡大断面図である。
【００５４】
図６に示すように、第１突条３２および第２突条３６の端縁は、それぞれ略４５°の角度で対応する傾斜面３２ｂ，３６ｂとして形成されている。第１突条３２と第２突条３６との接合部から入射しようとする光Ｌは、第２突条３６の傾斜面３６ｂで反射し、更に第１突条３２の傾斜面３２ｂで反射して、少なくとも２回反射した後、ディスク収容部３に到達する。従って、カートリッジ２が照度５００ルックスで照射されたときの反射光の光量は１ｍＷ／ｃｍ２以下となっているので、記録ディスク４の感光が防止される。
【００５５】
図７は第２変形例の第１シェルおよび第２シェルの要部拡大断面図である。図７に示すように、第２変形例の第１突条３２および第２突条３６の端縁は、カートリッジ２の外面と平行な平面として形成されている。また、第２シェル２６には、第１突条３２と第２突条３６の接合部の内側に、リブ２６ｅが第２突条３６と略平行に設けられている。従って、第１突条３２と第２突条３６との接合部から直接内部に進入した光Ｌは、リブ２６ｅにより遮光され、リブ２６ｅと第１シェル２５の内面とで少なくとも２回、反射しないとディスク収容部３に到達することができない。従って、カートリッジ２が照度５００ルックスで照射されたとき、ディスク収容部３に到達する反射光の光量は１ｍＷ／ｃｍ２以下となっているので、記録ディスク４の感光が防止される。
【００５６】
次に、位置決め穴などの開口穴に隣接してリブが形成された第３変形例について図８に基づいて説明する。図８は第１シェル２５の要部平面図である。図８に示すように、第１シェル２５の内側には、位置決め穴６３と記録ディスク４とを結ぶ直線上に、位置決め穴６３を囲むように略Ｌ字形のリブ２５ｆが形成されている。リブ２５ｆは、第１シェル２５と第２シェル２６とが重ね合わされたとき、その先端が第２シェル２６の内面に当接する。従って、位置決め穴６３，６４の側壁６０，６１の接合部から進入した光Ｌは、リブ２５ｆで遮られるので、図５に示すように２回以上反射しないとディスク収容部３に到達することができない。従って、カートリッジ２が照度５００ルックスで照射されたとき、ディスク収容部３に到達する反射光の光量は１ｍＷ／ｃｍ２以下となっているので、記録ディスク４の感光が防止される。
【００５７】
尚、上記の実施形態および第１から第３変形例で述べた突条およびリブの各形状は、互いに独立に実施可能であり、任意の形状の突条とリブとを組み合わせて用いることができる。
【００５８】
上記説明においては、第１シェルと第２シェルとの固着に超音波溶着を用いたが、その他の溶着方法及び固着方法を用いてもよい。例えば、ネジなどで固着する場合には、ネジ穴の周囲にも上記したものと同様の遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【００５９】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。また、シャッタの開放操作を禁止する操作ロック機構を持たないカートリッジを例に脱明したが、操作ロック機構を配備したカートリッジとすることもでき、この場合には不用意なシャッタの開放による感光性記録媒体の感光が防止できるので好ましい。
【図面の簡単な説明】
【００６０】
【図１】本発明の実施形態であるホログラム記録媒体用カートリッジの斜視図である。
【図２】カートリッジの構成を示す分解斜視図である。
【図３】図１におけるＩＩＩ−ＩＩＩ矢視断面図である。
【図４】図３における円ＩＶで囲まれた部分の拡大断面図である。
【図５】図１におけるＶ−Ｖ矢視断面図である。
【図６】第１変形例の第１シェルおよび第２シェルの要部拡大断面図である。
【図７】第２変形例の第１シェルおよび第２シェルの要部拡大断面図である。
【図８】第３変形例の第１シェル２５の要部平面図である。
【符号の説明】
【００６１】
２         カートリッジ（感光性記録媒体用カートリッジ）
３         ディスク収容部
４         記録ディスク（感光性記録媒体、ホログラム記録媒体）
４ａ       感光性記録媒体の中心
４ｂ       感光性記録媒体の記録面
１１       カートリッジ本体
１３       シャッタ
１８       開口
１９       開口
２５       第１シェル
２５ｅ     リブ（リブ状部材、遮光部材）
２５ｆ     リブ（リブ状部材、遮光部材）
２６       第２シェル
２６ｅ     リブ（リブ状部材、遮光部材）
３２       第１突条（突条）
３６       第２突条（突条）
６０       側壁
６１       側壁
６３       位置決め穴(開口穴)
６４       位置決め穴(開口穴)
７０       蛍光灯
Ｌ         光
【図１】
2007073119.tif 000003
【図２】
2007073119.tif 000004
【図３】
2007073119.tif 000005
【図４】
2007073119.tif 000006
【図５】
2007073119.tif 000007
【図６】
2007073119.tif 000008
【図７】
2007073119.tif 000009
【図８】
2007073119.tif 000010